(57)【要約】【課題】表示させるべき周波数チャンネルの付加情報を再取得する必要がないことにより、該付加情報をチャンネル復帰後に速やかに表示させることができる放送受信機を提供すること。【解決手段】付加情報が多重されたデジタル放送信号を受信する受信手段と、受信された付加情報を所定の記憶媒体に記憶する記憶手段と、新たに受信された付加情報を所定の記憶媒体に記憶すると、該記憶媒体の記憶容量が超過する場合に、該記憶媒体に既に記憶されている付加情報の使用可能性の有無を過去に受信した付加情報に基づいて判断する判断手段と、判断手段により使用可能性が無いと判断された付加情報を消去して、新たに受信された付加情報を記憶するための記憶容量を確保する消去手段と、から放送受信機を構成する。【選択図】図２
2013187808.tif 000002
【特許請求の範囲】
【請求項１】
付加情報が多重されたデジタル放送信号を受信する受信手段と、
受信された前記付加情報を所定の記憶媒体に記憶する記憶手段と、
新たに受信された前記付加情報を前記所定の記憶媒体に記憶すると、該記憶媒体の記憶容量が超過する場合に、該記憶媒体に既に記憶されている付加情報の使用可能性の有無を過去に受信した付加情報に基づいて判断する判断手段と、
前記判断手段により使用可能性が無いと判断された付加情報を消去して、前記新たに受信された付加情報を記憶するための記憶容量を確保する消去手段と、
を備えることを特徴とする、放送受信機。
【請求項２】
前記受信手段により受信されるデジタル放送信号にて複数のプログラムが放送されている場合、
前記判断手段は、同一周波数チャンネルかつ同一プログラムの付帯情報が前記所定の記憶媒体内にｎ個以上記憶されているとき、新しい方から数えてｎ番目以降の付帯情報について使用可能性が無いと判断することを特徴とする、請求項１に記載の放送受信機。
【請求項３】
前記受信手段により受信されるデジタル放送信号にて単一のプログラムが放送されている場合、
前記判断手段は、同一周波数チャンネルの付帯情報が前記所定の記憶媒体内にｎ個以上記憶されているとき、新しい方から数えてｎ番目以降の付帯情報について使用可能性が無いと判断することを特徴とする、請求項１に記載の放送受信機。
【請求項４】
前記消去手段は、前記使用可能性が無いと判断された付加情報のうち、古い付加情報を優先的に消去することを特徴とする、請求項１から請求項３の何れか一項に記載の放送受信機。
【請求項５】
受信可能な周波数チャンネルのリスト
を更に備え、
前記消去手段は、前記使用可能性が無いと判断される付加情報が無い場合には、前記リストに存在しない周波数チャンネルの付帯情報を消去して、前記新たに受信された付加情報を記憶するための記憶容量を確保することを特徴とする、請求項１から請求項４の何れか一項に記載の放送受信機。
【請求項６】
前記受信手段は、ＩＢＯＣ（In-Band On-Channel）方式の信号フォーマットにより伝送される放送信号を受信可能であることを特徴とする、請求項１から請求項５の何れか一項に記載の放送受信機。
【発明の詳細な説明】
【技術分野】
【０００１】
本発明は、放送受信機に関連し、詳しくは、画像等の付加情報が多重されたデジタル放送信号を受信可能な放送受信機に関する。
【背景技術】
【０００２】
近年、音響機器や映像機器等において音声や映像をデジタル形式で処理、管理することが一般化している。このような音響機器等における音声や映像のデジタル符号化の趨勢はラジオ放送の分野にも波及し、幾つかの方式のデジタルラジオ放送が規格化され、実用化されている。例えば、ｉＢｉｑｕｉｔｙ（アイビクイティ）社によるＩＢＯＣ（In-Band On-Channel）や、ＥＵＲＥＫＡ（European Research Coordination Agency）のプロジェクト１４７で規格化されたＤＡＢ（Digital Audio Broadcast）と呼ばれる、伝送方式としてＯＦＤＭ（Orthogonal Frequency Division Multiplex）を利用したデジタルラジオ放送方式が知られている。
【０００３】
この種のデジタルラジオ放送では、プログラムに関連するテキストデータや画像データ等が付加情報として音声データに多重して放送される。そのため、デジタルラジオ放送を受信可能な放送受信機には、付加情報を記憶するためのメモリが備えられている。例えば特許文献１に、この種のメモリを搭載した、ＤＡＢフォーマット対応の放送受信機の具体的構成が記載されている。
【０００４】
特許文献１に記載の放送受信機は、受信された付加情報を内蔵メモリに逐次記憶することができる。しかし、内蔵メモリの記憶容量は有限である。そのため、特許文献１に記載の放送受信機は、新たに受信された付加情報を内蔵メモリに記憶するとその記憶容量を超過してしまう場合には、古い付加情報から順次消去するように構成されている。このとき、例外として、所定の保存設定操作により指定された付加情報は消去の対象から除外される。このような付加情報に関する消去のアルゴリズムは、例えばテレビジョン放送受信機の分野においても知られている（例えば特許文献２参照）。
【先行技術文献】
【特許文献】
【０００５】
【特許文献１】特開２００２−１９８８４１号公報
【特許文献２】特開２００３−２８９５０３号公報
【発明の概要】
【発明が解決しようとする課題】
【０００６】
例えば、選局チャンネルを周波数チャンネルＡから別の周波数チャンネルＢ等に変更した後、再び周波数チャンネルＡに戻す場合を考える。この場合において、特許文献１や２に例示される方法で付加情報の消去が行われると、選局チャンネルを周波数チャンネルＡに戻したときに、本来表示させるべき周波数チャンネルＡの付加情報が単に古いという理由で既に消去されている虞がある。この場合、表示させるべき周波数チャンネルＡの付加情報を再取得する必要があるため、付加情報をチャンネル復帰後に速やかに表示できない不都合が生じる。
【０００７】
本発明は上記の事情に鑑みてなされたものであり、その目的とするところは、表示させるべき周波数チャンネルの付加情報を再取得する必要がないことにより、該付加情報をチャンネル復帰後に速やかに表示させることができる放送受信機を提供することである。
【課題を解決するための手段】
【０００８】
本発明の一形態に係る放送受信機は、付加情報が多重されたデジタル放送信号を受信する受信手段と、受信された付加情報を所定の記憶媒体に記憶する記憶手段と、新たに受信された付加情報を所定の記憶媒体に記憶すると、該記憶媒体の記憶容量が超過する場合に、該記憶媒体に既に記憶されている付加情報の使用可能性の有無を過去に受信した付加情報に基づいて判断する判断手段と、判断手段により使用可能性が無いと判断された付加情報を消去して、新たに受信された付加情報を記憶するための記憶容量を確保する消去手段とを備えることを特徴とする。
【０００９】
また、本発明の一形態に係る放送受信機において、受信手段により受信されるデジタル放送信号にて複数のプログラムが放送されている場合、判断手段は、同一周波数チャンネルかつ同一プログラムの付帯情報が所定の記憶媒体内にｎ個以上記憶されているとき、新しい方から数えてｎ番目以降の付帯情報について使用可能性が無いと判断する構成としてもよい。また、受信手段により受信されるデジタル放送信号にて単一のプログラムが放送されている場合、判断手段は、同一周波数チャンネルの付帯情報が所定の記憶媒体内にｎ個以上記憶されているとき、新しい方から数えてｎ番目以降の付帯情報について使用可能性が無いと判断する構成としてもよい。
【００１０】
また、本発明の一形態に係る放送受信機において、消去手段は、使用可能性が無いと判断された付加情報のうち、古い付加情報を優先的に消去する構成としてもよい。
【００１１】
また、本発明の一形態に係る放送受信機は、受信可能な周波数チャンネルのリストを更に備えた構成としてもよい。かかる構成において、消去手段は、使用可能性が無いと判断される付加情報が無い場合には、リストに存在しない周波数チャンネルの付帯情報を消去して、新たに受信された付加情報を記憶するための記憶容量を確保することができる。
【００１２】
また、本発明の一形態に係る放送受信機において、受信手段は、例えばＩＢＯＣ方式の信号フォーマットにより伝送される放送信号を受信可能である。
【発明の効果】
【００１３】
本発明の一形態によれば、表示させるべき周波数チャンネルの付加情報を再取得する必要がないことにより、該付加情報をチャンネル復帰後に速やかに表示させることができる放送受信機が提供される。
【図面の簡単な説明】
【００１４】
【図１】本発明の実施形態のＨＤラジオの構成を示すブロック図である。
【図２】本発明の実施形態のＨＤラジオが備えるマイクロコンピュータにより実行される画像記憶処理のフローチャートを示す図である。
【図３】本発明の実施形態のＨＤラジオが備えるマイクロコンピュータにより実行される画像記憶処理のフローチャートを示す図である。
【発明を実施するための形態】
【００１５】
以下、図面を参照して、本発明の実施形態の放送受信機について説明する。本実施形態の放送受信機は、ＩＢＯＣ方式のラジオ放送の受信に適したＨＤラジオである。
【００１６】
図１は、本実施形態のＨＤラジオ１００の構成を示すブロック図である。ＨＤラジオ１００は、車載型の放送受信機であり、一般乗用車等に装備される。ＨＤラジオ１００は、ＩＢＯＣ方式のラジオ放送に適合して設計され、当該方式の信号フォーマットによる放送信号を受信して処理するように構成されている。
【００１７】
ＨＤラジオ１００は、アンテナ１、チューナ２、ＩＦ（Intermediate Frequency）フィルタ５、ＩＦアンプ６、セパレータＳＥＰ、ＩＦフィルタ７、Ａ／Ｄコンバータ８、アナログ用信号処理回路９、オーディオ信号処理部１０、Ｄ／Ａコンバータ１１、パワーアンプ１２、スピーカ１３、ＰＬＬ（Phase Locked Loop）回路１４、マイクロコンピュータ１５、ＩＤＭ（IBOC Digital Module）１６、受光部１７、リモート・コントローラ（以下、「リモコン」という。）１８、表示制御回路１９、ディスプレイ２０、フラッシュメモリ２１を有している。
【００１８】
リモコン１８には、ＨＤラジオ１００を操作するための操作キーが設けられている。リモコン１８は、ユーザのキー操作に応じた制御パルスを出力する。この制御パルスは、例えばＩｒＤＡ規格に準拠した信号である。受光部１７は、受信した制御パルスをマイクロコンピュータ１５に出力する。
【００１９】
マイクロコンピュータ１５には、ＨＤラジオ１００の各種機能を実行する種々の制御プログラムが実装されている。マイクロコンピュータ１５は、ＨＤラジオ１００のハードウェア管理や、受光部１７からの制御パルスに基づく各種機能の実行等を行う。
【００２０】
ＨＤラジオ１００は、以下のようにしてラジオ放送信号を処理して再生する。すなわち、ＨＤラジオ１００は、放送電波をアンテナ１により受信してチューナ２に出力する。チューナ２は、マイクロコンピュータ１５によるＰＬＬ回路１４を介した制御により、受信電波から選局チャンネルのＲＦ（Radio Frequency）信号を抽出する。抽出されたＲＦ信号は、フィルタリング等の信号処理に適した中間周波数に周波数変換される。チューナ２は、周波数変換によって得たＩＦ信号をＩＦフィルタ５に出力する。
【００２１】
選局チャネルは、リモコン１８等を用いたユーザによる選局操作に従って決定される。最後に選局されたチャネル（以下、「ラストチャネル」という。）の情報は、不揮発性メモリ（フラッシュメモリ２１）により保持される。例えばＨＤラジオ１００の電源投入直後は、フラッシュメモリ２１が読み込まれて、ラストチャンネルが選局される。
【００２２】
なお、選局チャネルは、チャンネルリスト（Station List）にリストされた周波数チャンネルの中から選択される。チャンネルリストは、ＨＤラジオ１００を装備した車両が現在属する放送エリアで受信可能な周波数チャンネルをリストしたものであり、フラッシュメモリ２１（又はマイクロコンピュータ１５の内部メモリ１５Ｍ）に格納されている。チャンネルリストは、周知のチャンネルサーチ処理の実行により取得可能である。チャンネルサーチ処理は、車両が放送エリア間を移動することを考慮して、例えば定期的に実行される。
【００２３】
チューナ２から出力されたＩＦ信号は、ＩＦフィルタ５によるフィルタリング後、ＩＦアンプ６に入力される。ＩＦアンプ６は、入力されたＩＦ信号を増幅してセパレータＳＥＰに出力する。ＩＦアンプ６の増幅率は、ＩＦアンプ６への入力信号の強度に関係なく、ＩＦアンプ６からの出力信号が設定された強度となるようにフィードバック制御によって調節されている。
【００２４】
セパレータＳＥＰは、入力されたＩＦ信号を２つの信号成分に分離する。分離成分の一方は、アナログ搬送波をＩＦ信号に変換することで得られる信号成分であり、もう一方は、サイドバンドのサブキャリアをＩＦ信号に変換することで得られる信号成分である。以下においては、説明の便宜上、前者の信号成分を「アナログＩＦ信号」と記し、後者の信号成分を「デジタルＩＦ信号」と記す。セパレータＳＥＰは、アナログＩＦ信号をＩＦフィルタ７に出力し、デジタルＩＦ信号をＡ／Ｄコンバータ８に出力する。
【００２５】
なお、上記は、選局チャンネルがハイブリッドフォーマットのチャンネルであることを前提とした説明である。選局チャンネルでアナログラジオ放送（又はデジタルラジオ放送）だけが放送されている場合は、セパレータＳＥＰが分離するデジタルＩＦ信号（又はアナログＩＦ信号）に有効な信号成分が含まれていない。
【００２６】
ＩＦフィルタ７は、入力されたアナログＩＦ信号にフィルタリング処理を施して不要な周波数成分を除去する。ＩＦフィルタ７は、フィルタリング後のアナログＩＦ信号をＡ／Ｄコンバータ８に出力する。
【００２７】
Ａ／Ｄコンバータ８は、Ａ／Ｄ変換処理回路をアナログＩＦ信号用とデジタルＩＦ信号用に別個独立に備えている。Ａ／Ｄコンバータ８は、入力された各ＩＦ信号を対応する処理回路によりＡ／Ｄ変換する。Ａ／Ｄ変換されたアナログＩＦ信号は、アナログ用信号処理回路９に出力される。また、Ａ／Ｄ変換されたデジタルＩＦ信号は、ＩＤＭ１６に出力される。
【００２８】
アナログ用信号処理回路９は、検波回路９ａ、ノイズキャンセラー９ｂ、弱電界処理回路９ｃを有している。アナログＩＦ信号は、検波回路９ａによるオーディオ信号への復調後、ノイズキャンセラー９ｂによってノイズが除去される。アナログＩＦ信号は次いで、弱電界処理回路９ｃにより、ミュート、ハイカット、セパレーション制御等の選局チャネルの受信状態に応じた処理が施される。そして、アナログオーディオ信号として、オーディオ信号処理部１０に出力される。
【００２９】
ＩＤＭ１６は、ＩＢＯＣ方式のデジタルラジオ放送信号処理専用に設計されたモジュールである。ＩＤＭ１６は、Ａ／Ｄコンバータ８からのデジタルＩＦ信号を直交復調して同期再生によりガードインターバル長等にあった受信同期を確立し、ビットストリームに変換する。ここで変換されるビットストリームは、例えばＰＡＣ（Perceptual Audio Corder）形式により圧縮符号化されたビットストリームである。ＩＤＭ１６は、ＩＦ信号がデジタルラジオ放送信号を含む場合に限り、受信同期を確立することができる。ＩＤＭ１６は、例えば選局チャンネルが設定され又は変更される毎に、復調処理結果に基づいてステータス情報（例えば受信同期が確立できたか否か等の情報）を生成してマイクロコンピュータ１５に出力する。
【００３０】
ＩＤＭ１６は、更に、ビットストリームに含まれる誤り訂正符号をデコードして、ビットストリームに対する誤り訂正処理を行う。次いで、誤り訂正されたビットストリームをオーディオストリームとデータストリームに分離する。ＩＤＭ１６は、分離されたオーディオストリームを各パケットのタイムスタンプに従ったタイミングでデコードしてデジタルラジオ放送のオーディオ信号（以下、「デジタルオーディオ信号」という。）を再構築し、オーディオ信号処理部１０に出力する。ＩＤＭ１６はまた、オーディオストリームに対するデコード処理と同時に、分離されたデータストリームをデコードして所定の付加データに変換してマイクロコンピュータ１５に転送する。付加データは、所定の形式のデータ（例えばＩＤ３タグを用いて記述されたデータ）であり、例えば放送プログラムを提供する事業者名、事業者のロゴ画像（Station Logo）、放送中の楽曲名、アーティスト名、ジャケット画像等（Primary Image）の選局中のラジオ放送に関する情報を有する。
【００３１】
ＩＤＭ１６は、復調処理で得られる信号のＣＮ比やＳＮ比、誤り訂正処理により算出されるＢＥＲ等に基づいて受信信号の品質を測定し、測定結果に基づいてブレンド信号を生成する。生成されたブレンド信号は、オーディオ信号処理部１０に出力される。
【００３２】
オーディオ信号処理部１０は、ブレンド回路１０ａ、オーディオ処理回路１０ｂを有している。ブレンド回路１０ａは、入力されたブレンド信号に基づいて、アナログ用信号処理回路９からのアナログオーディオ信号と、ＩＤＭ１６からのデジタルオーディオ信号に対するブレンド処理を行う。
【００３３】
ここで、ハイブリッドフォーマットの放送では、デジタルラジオ放送がアナログラジオ放送よりも高品質である。そのため、受信信号の品質レベルが所定レベル以上である場合、ブレンド回路１０ａは、ブレンド信号に基づいて、実質的にデジタルオーディオ信号のみが出力されるようにアナログオーディオ信号を減衰する。受信信号の品質レベルが所定レベルに満たない場合、若しくは、アナログラジオ放送のみを再生するようにユーザ設定がされている場合には、ブレンド信号に基づいて、実質的にアナログオーディオ信号のみが出力されるようにデジタルオーディオ信号を減衰する。また、受信信号の品質レベルが所定レベルを跨いで変化するときには、ブレンド回路１０ａは、ブレンド信号に基づいて、アナログオーディオ信号とデジタルオーディオ信号との遅延量、品質差等を考慮した補正を行いながら信号のミキシングを行いつつ、切替前後の音声がスムーズにつながるように、出力するオーディオ信号を切り替える。切替にかかる時間は、例えば９００ｍｓ程度である。ブレンド回路１０ａより出力されたオーディオ信号は、オーディオ処理回路１０ｂに入力されて、オーディオ処理回路１０ｂによる所定の信号処理後、Ｄ／Ａコンバータ１１に出力される。
【００３４】
Ｄ／Ａコンバータ１１に入力されたオーディオ信号は、Ｄ／Ａ変換後、パワーアンプ１２に入力される。パワーアンプ１２に入力されたオーディオ信号は、ボリュームに応じた増幅率によって利得調整されて、スピーカ１３に出力される。以上の信号処理を経て、選局チャンネルのラジオ放送がスピーカ１３により再生される。
【００３５】
また、マイクロコンピュータ１５は、ＩＤＭ１６からの付加データを解釈し、その解釈結果を表示制御回路１９に出力する。表示制御回路１９は、入力された解釈結果に所定の処理を施してディスプレイ２０に出力する。これにより、付加データに対応する情報（
放送プログラムを提供する事業者名、Station Logo、放送中の楽曲名、アーティスト名、Primary Image等）がディスプレイ２０に表示される。なお、マイクロコンピュータ１５は、Station Logo等の更新頻度の低い情報についてはフラッシュメモリ２１に記憶させ、Primary Image等の更新頻度の高い情報については内部メモリ１５Ｍ（揮発性メモリ）に記憶させる。すなわち、Station Logo等はＨＤラジオ１００の電源切断後もフラッシュメモリ２１に保持されるが、Primary Image等はＨＤラジオ１００の電源切断と共に消去される。
【００３６】
本実施形態では、Primary Imageは、デジタルラジオ放送で放送される楽曲のジャケット画像とする。この種のPrimary Imageは、例えば、プログラム内で楽曲が流されるｎ分前と、実際に楽曲が流されるタイミングの合計２回、放送電波に多重されて放送される。一例として、マイクロコンピュータ１５は、周波数チャンネル（８１．１ＭＨｚ）を受信中であって、周波数チャンネル（８１．１ＭＨｚ）のプログラムｂ１で楽曲ＢＢ１が流される時、楽曲ＢＢ１のジャケット画像ＢＢ１をデコードして内部メモリ１５Ｍに記憶する。また、マイクロコンピュータ１５は、楽曲ＢＢ１の途中であって、周波数チャンネル（８１．１ＭＨｚ）のプログラムｂ１内で楽曲ＢＢ２が流されるｎ分前に楽曲ＢＢ２のジャケット画像ＢＢ２をデコードして内部メモリ１５Ｍに記憶する。すなわち、マイクロコンピュータ１５は、受信中のプログラム内で現在表示されるべきPrimary Imageと、次に表示されるべきPrimary Imageを取得して内部メモリ１５Ｍに記憶することができる。このように、プログラムに多重放送されているPrimary Imageは、マイクロコンピュータ１５によってデコードされる毎に内部メモリ１５Ｍに逐次記憶される。
【００３７】
表１に、内部メモリ１５Ｍに記憶されるPrimary Imageのリストを例示する。表１によれば、マイクロコンピュータ１５は、周波数チャンネル（７９．５ＭＨｚ）の受信中にプログラムａ１で流された楽曲ＡＡ１のジャケット画像ＡＡ１を取得し、次いで、新たに選局された周波数チャンネル（８１．１ＭＨｚ）の受信中にプログラムｂ１で流された楽曲ＢＢ１のジャケット画像ＢＢ１、楽曲ＢＢ２のジャケット画像ＢＢ２、プログラムｂ２で流された楽曲ＢＢ３のジャケット画像ＢＢ３を順次取得している。マイクロコンピュータ１５は、次いで、新たに選局された周波数チャンネル（９５．３ＭＨｚ）の受信中にプログラムｃ１で流された楽曲ＣＣ１のジャケット画像ＣＣ１、楽曲ＣＣ２のジャケット画像ＣＣ２、楽曲ＣＣ３のジャケット画像ＣＣ３、楽曲ＣＣ４のジャケット画像ＣＣ４、プログラムｃ２で流された楽曲ＣＣ５のジャケット画像ＣＣ５を順次取得している。マイクロコンピュータ１５は、更に、新たに選局された周波数チャンネル（７８．５ＭＨｚ）の受信中にプログラムｄ１で流された楽曲ＤＤ１のジャケット画像ＤＤ１、周波数チャンネル（７９．１ＭＨｚ）の受信中にプログラムｅ１で流された楽曲ＥＥ１のジャケット画像ＥＥ１、周波数チャンネル（１０１．５ＭＨｚ）の受信中にプログラムｆ１で流された楽曲ＦＦ１のジャケット画像ＦＦ１を順次取得している。
【００３８】
【表１】
2013187808.tif 000003
【００３９】
［Primary Imageを対象とした画像記憶処理］
本実施形態では、内部メモリ１５Ｍに記憶可能なPrimary Imageの数が最大で１２となっている。そのため、表１のようにPrimary Imageが内部メモリ１５Ｍに１２個記憶された後、例えば周波数チャンネル（１０１．５ＭＨｚ）のプログラムｆ１で流される楽曲ＦＦ２のジャケット画像ＦＦ２を取得しても、そのままでは記憶容量の超過により、ジャケット画像ＦＦ２を内部メモリ１５Ｍに記憶することができない。ジャケット画像ＦＦ２を内部メモリ１５Ｍに記憶するためには、内部メモリ１５Ｍ内のPrimary Imageを消去して記憶容量を確保する必要がある。しかし、単純に、内部メモリ１５Ｍ内の古いPrimary Imageを消去すると、上述した不都合（例えば選局チャンネルを周波数チャンネルＡに戻したとき、本来表示させるべき周波数チャンネルＡのPrimary Imageが単に古いという理由で既に消去されている場合に、当該Primary Imageを再取得する必要があるため、当該Primary Imageを周波数チャンネルＡの復帰後に速やかに表示できない不都合）が生じる。
【００４０】
そこで、本実施形態のマイクロコンピュータ１５は、図２にフローチャートで示される画像記憶処理を実行する。これにより、新たに取得されたPrimary Imageを内部メモリ１５Ｍに記憶しつつも上記不都合を回避することができる。なお、内部メモリ１５Ｍに記憶可能なPrimary Imageの最大数は１２に限らず、仕様・設計に応じて適宜変更される。また、説明の便宜上、本明細書中の説明並びに図面において、処理ステップは「Ｓ」と省略して記す。
【００４１】
［図２のＳ１（残容量の確認）］
マイクロコンピュータ１５は、ジャケット画像ＦＦ２を記憶可能な空き容量が内部メモリ１５Ｍに残されている否かを判定する。なお、本実施形態では、Primary Imageのデータサイズが全て同一であることを前提とする。そのため、マイクロコンピュータ１５は、内部メモリ１５Ｍに記憶されているPrimary Imageの数が１２未満の場合、ジャケット画像ＦＦ２を内部メモリ１５Ｍに書き込む（Ｓ１：ＹＥＳ、Ｓ７）。マイクロコンピュータ１５は、内部メモリ１５Ｍに記憶されているPrimary Imageの数が１２の場合には（Ｓ１：ＮＯ）、空き容量が無いことから、処理をＳ２に進める。
【００４２】
また、別の実施形態では、Primary ImageのデータサイズがPrimary Image毎に異なっていてもよい。この場合、マイクロコンピュータ１５は、内部メモリ１５Ｍの残容量とジャケット画像ＦＦ２のデータサイズとを比較し、前者が小さい場合には、空き容量が無いとして処理をＳ２に進め、前者が大きい場合には、ジャケット画像ＦＦ２を内部メモリ１５Ｍに書き込む（Ｓ７）。
【００４３】
［図２のＳ２（内部メモリ１５Ｍに記憶されているPrimary Imageに対する判定）］
マイクロコンピュータ１５は、内部メモリ１５Ｍ内のPrimary Imageのうち同一周波数チャンネルでかつ同一プログラムの３つ以上のPrimary Imageがあるか否かを判定する。マイクロコンピュータ１５は、この条件を満たすPrimary Image群が内部メモリ１５Ｍ内にある場合には（Ｓ２：ＹＥＳ）処理をＳ３に進め、この条件を満たすPrimary Image群が内部メモリ１５Ｍ内に無い場合には（Ｓ２：ＮＯ）処理をＳ４に進める。
【００４４】
表１の例では、ジャケット画像ＣＣ１〜ＣＣ４が全て同一の周波数チャンネル（９５．３ＭＨｚ）でかつ同一のプログラムｃ１のPrimary Image群（４つのPrimary Image）である。そのため、マイクロコンピュータ１５は、処理をＳ３に進める。以下においては、説明の便宜上、同一周波数チャンネルでかつ同一プログラムの３つ以上のPrimary Imageのうち最も新しいPrimary Imageを「ネクスト画像」と記し、２番目に新しいPrimary Imageを「カレント画像」と記し、３番目以降に新しいPrimary Imageを「プレビアス画像」と記す。
【００４５】
なお、例えばチャンネルリストにリストされている各周波数チャンネルで単一のプログラムしか放送されていない場合、Ｓ２の判定条件から「同一プログラム」を省略することができる。すなわち、この場合、マイクロコンピュータ１５は、内部メモリ１５Ｍ内のPrimary Imageのうち同一周波数チャンネルの３つ以上のPrimary Imageがあるか否かを判定すれば足りる。
【００４６】
［図２のＳ３（使用可能性の無いPrimary Imageの消去）］
カレント画像は、当該プログラムで現在流されている楽曲のジャケット画像である可能性があり、ネクスト画像は、当該プログラムで次に流される楽曲のジャケット画像である可能性がある。すなわち、カレント画像は、当該プログラムの再生中にディスプレイ２０に表示させるべき画像であり得、ネクスト画像は、数分後にディスプレイ２０に表示させるべき画像であり得る。一方、プレビアス画像は、当該プログラムで既に流された楽曲のジャケット画像であるため、基本的に表示の予定がない。そのため、マイクロコンピュータ１５は、プレビアス画像を消去してジャケット画像ＦＦ２の記憶容量を確保し、ジャケット画像ＦＦ２を内部メモリ１５Ｍに書き込む（Ｓ７）。
【００４７】
表１の例では、ジャケット画像ＣＣ１及びＣＣ２がプレビアス画像に該当し、ジャケット画像ＣＣ３がカレント画像に該当し、ジャケット画像ＣＣ４がプレビアス画像に該当する。そのため、マイクロコンピュータ１５は、ジャケット画像ＣＣ１又はＣＣ２を消去する。古いPrimary Imageほど使用可能性が無いとの考えに基づき、ジャケット画像ＣＣ１（すなわち、同一周波数チャンネルでかつ同一プログラムの３つ以上のPrimary Imageのうち最も古いもの）のみを消去してもよい。なお、Primary ImageのデータサイズがPrimary Image毎に異なる場合、マイクロコンピュータ１５は、ジャケット画像ＦＦ２の記憶容量を確保するため、複数のプレビアス画像（例えばジャケット画像ＣＣ１及びＣＣ２）を消去することもあり得る。
【００４８】
すなわち、Ｓ３の処理において、マイクロコンピュータ１５は、内部メモリ１５Ｍ内のPrimary Imageの使用可能性（表示可能性）の有無を、過去に受信されたPrimary Image（内部メモリ１５Ｍ内に現在格納されているPrimary Image）に基づいて判断し、プレビアス画像と判断されたPrimary Imageについては使用可能性が無いとして内部メモリ１５Ｍより消去する。本実施形態では、使用可能性の無いジャケット画像ＣＣ１やＣＣ２が消去されるだけであるため、例えば他の周波数チャンネルから周波数チャンネル（９５．３ＭＨｚ）に戻されたときに、使用可能性のあるジャケット画像ＣＣ３やジャケット画像ＣＣ４を再取得する必要がない。そのため、新たに取得されたジャケット画像ＦＦ２を内部メモリ１５Ｍに記憶させつつ、ジャケット画像ＣＣ３やジャケット画像ＣＣ４をディスプレイ２０に速やかに表示させることができる。
【００４９】
［図２のＳ４（チャンネルリストにリストされているか否かの判定）］
マイクロコンピュータ１５は、内部メモリ１５Ｍ内のPrimary Imageのうちチャンネルリストにリストされていない周波数チャンネルに対応するPrimary Imageが存在するか否かを判定する。マイクロコンピュータ１５は、チャンネルリスト外の周波数チャンネルに対応するPrimary Imageが存在する場合、処理をＳ５に進める。マイクロコンピュータ１５は、チャンネルリスト外の周波数チャンネルに対応するPrimary Imageが存在しない場合には、処理をＳ６に進める。
【００５０】
［図２のＳ５（チャンネルリスト外の周波数チャンネルに対応するPrimary Imageの消去）］
マイクロコンピュータ１５は、チャンネルリストにリストされていない周波数チャンネルに対応する少なくとも１つのPrimary Imageについて使用可能性が無いとして内部メモリ１５Ｍより消去し、新たに取得されたジャケット画像ＦＦ２を内部メモリ１５Ｍに書き込む（Ｓ７）。なお、消去するPrimary Imageを最小数に抑える場合には、古いPrimary Imageほど使用可能性が無いとの考えに基づき、チャンネルリストにリストされていないPrimary Imageのうち最も古いものだけを消去してもよい。
【００５１】
［図２のＳ６（古いPrimary Imageの消去）］
マイクロコンピュータ１５は、内部メモリ１５Ｍ内の全てのPrimary Imageがチャンネルリストにリストされた周波数チャンネルに対応する場合、内部メモリ１５Ｍ内のPrimary Imageのうち最も古いものを消去し、新たに取得されたジャケット画像ＦＦ２を内部メモリ１５Ｍに書き込む（Ｓ７）。
【００５２】
［図２のＳ７（Primary Imageの書き込み）］
本処理ステップにおいて、マイクロコンピュータ１５は、上述したように、新たに取得されたジャケット画像ＦＦ２を内部メモリ１５Ｍに書き込む。内部メモリ１５Ｍへのジャケット画像ＦＦ２の書き込み後、本フローチャートの処理が終了する。
【００５３】
［Station Logoを対象とした画像記憶処理］
ここで、図２と同様の画像記憶処理は、Station Logoにも適用可能である。Station Logoは、放送プログラムを提供する事業者名のロゴ画像であり、例えばｍ分毎に定期的に多重放送される。Station Logoは、更新頻度が低い（例えば最短で１日）ため、ＨＤラジオ１００の電源切断後も保持できるように、フラッシュメモリ２１に記憶される。
【００５４】
図３に、記憶対象をStation Logoとした場合にマイクロコンピュータ１５によって実行される画像記憶処理のフローチャートを示す。なお、図３の画像記憶処理は、使用可能性の有無の判定条件が図２のＳ２の判定条件と異なっている点、及び記憶対象の画像（Station Logo）の記憶先がフラッシュメモリ２１である点を除き、図２の画像記憶処理と実質的に同じである。そこで、図３の画像記憶処理の説明は、図２の画像記憶処理の説明との重複を避けるため、適宜簡略又は省略する。
【００５５】
［図３のＳ１１（残容量の確認）］
マイクロコンピュータ１５は、新たに取得されたStation Logoを記憶可能な空き容量がフラッシュメモリ２１に残っているか否かを判定する。マイクロコンピュータ１５は、空き容量がある場合、新たに取得されたStation Logoをフラッシュメモリ２１に書き込む（Ｓ１１：ＹＥＳ、Ｓ１７）。マイクロコンピュータ１５は、空き容量が無い場合には（Ｓ１１：ＮＯ）、処理をＳ１２に進める。
【００５６】
［図３のＳ１２（フラッシュメモリ２１に記憶されているStation Logoに対する判定）］
マイクロコンピュータ１５は、フラッシュメモリ２１内のStation Logoのうち同一周波数チャンネルでかつ同一プログラムの２つ以上のStation Logoがあるか否かを判定する。マイクロコンピュータ１５は、この条件を満たすStation Logo群がフラッシュメモリ２１内にある場合には（Ｓ１２：ＹＥＳ）処理をＳ１３に進め、この条件を満たすStation Logo群がフラッシュメモリ２１内に無い場合には（Ｓ１２：ＮＯ）処理をＳ１４に進める。
【００５７】
［図３のＳ１３（使用可能性の無いStation Logoの消去）］
例えばStation Logoの更新頻度が１日毎の場合を考える。この場合、同一周波数チャンネルでかつ同一プログラムの２つ以上のStation Logoのうち最も新しいStation Logoは、今日一日使用する可能性がある。一方、２番目以降に新しいStation Logoは、前日以前に使用期間が切れており、基本的に表示の予定がない。そのため、マイクロコンピュータ１５は、２番目以降に新しいStation Logo（例えばその中でも最も古いStation Logo）を消去して記憶容量を確保し、新たに取得されたStation Logoをフラッシュメモリ２１に書き込む（Ｓ１７）。
【００５８】
［図３のＳ１４（チャンネルリストにリストされているか否かの判定）］
マイクロコンピュータ１５は、フラッシュメモリ２１内のStation Logoのうちチャンネルリストにリストされていない周波数チャンネルに対応するStation Logoが存在するか否かを判定する。マイクロコンピュータ１５は、チャンネルリスト外の周波数チャンネルに対応するStation Logoが存在する場合、処理をＳ１５に進める。マイクロコンピュータ１５は、チャンネルリスト外の周波数チャンネルに対応するStation Logoが存在しない場合には、処理をＳ１６に進める。
【００５９】
［図３のＳ１５（チャンネルリスト外の周波数チャンネルに対応するStation Logoの消去）］
マイクロコンピュータ１５は、チャンネルリストにリストされていない周波数チャンネルに対応する少なくとも１つのStation Logo（例えばその中でも最も古いStation Logo）について使用可能性が無いとしてフラッシュメモリ２１より消去し、新たに取得されたStation Logoをフラッシュメモリ２１に書き込む（Ｓ１７）。
【００６０】
［図３のＳ１６（古いStation Logoの消去）］
マイクロコンピュータ１５は、フラッシュメモリ２１内の全てのStation Logoがチャンネルリストにリストされた周波数チャンネルに対応する場合、フラッシュメモリ２１内のStation Logoのうち最も古いものを消去し、新たに取得されたStation Logoをフラッシュメモリ２１に書き込む（Ｓ１７）。
【００６１】
［図３のＳ１７（Station Logoの書き込み）］
本処理ステップにおいて、マイクロコンピュータ１５は、上述したように、新たに取得されたStation Logoをフラッシュメモリ２１に書き込む。フラッシュメモリ２１へのStation Logoの書き込み後、本フローチャートの処理が終了する。
【００６２】
すなわち、マイクロコンピュータ１５は、図３の例においても図２の例と同様に、フラッシュメモリ２１内のStation Logoの使用可能性（表示可能性）の有無を、過去に受信されたStation Logo（フラッシュメモリ２１内に現在格納されているStation Logo）に基づいて判断し、使用可能性が無いと判断されたStation Logoのみをフラッシュメモリ２１より消去する。
【００６３】
以上が本発明の例示的な実施形態の説明である。本発明の実施形態は、上記に説明したものに限定されず、本発明の技術的思想の範囲において様々な変形が可能である。例えば明細書中に例示的に明示される実施例等又は自明な実施例等を適宜組み合わせた内容も本願の実施形態に含まれる。
【符号の説明】
【００６４】
１  アンテナ
２  チューナ
５、７  ＩＦフィルタ
６  ＩＦアンプ
８  Ａ／Ｄコンバータ
９  アナログ用信号処理回路
１０  オーディオ信号処理部
１１  Ｄ／Ａコンバータ
１２  パワーアンプ
１３  スピーカ
１４  ＰＬＬ回路
１５  マイクロコンピュータ
１５Ｍ  内部メモリ
１６  ＩＤＭ
１７  受光部
１８  リモコン
１９  表示制御回路
２０  ディスプレイ
２１  フラッシュメモリ
１００  ＨＤラジオ
ＳＥＰ  セパレータ
【図１】
2013187808.tif 000004
【図２】
2013187808.tif 000005
【図３】
2013187808.tif 000006